(57)【特許請求の範囲】
【請求項１】
交換可能なレンズ装置と、カメラ本体と、前記レンズ装置と前記カメラ本体とを接続するアダプタと、音を出力する出力手段とを備える撮像装置であって、
前記出力手段は、所定の動作モードがＯＮである場合に、
前記カメラ本体から前記アダプタを取り外すために用いるボタンが押下されたときは、第１の音量の音を出力し、
前記カメラ本体から前記アダプタが取り外されたときは、前記第１の音量よりも大きい第２の音量の音を出力する
ことを特徴とする撮像装置。
【請求項２】
前記カメラ本体は、前記動作モードのＯＮ／ＯＦＦを設定する設定手段を備える
ことを特徴とする請求項１に記載の撮像装置。
【請求項３】
前記カメラ本体は、前記動作モードのＯＮ／ＯＦＦを設定する操作に用いる操作手段を備え、
前記設定手段は、前記操作手段による操作に応じて前記動作モードのＯＮ／ＯＦＦを設定する
ことを特徴とする請求項２に記載の撮像装置。
【請求項４】
前記出力手段は、前記第２の音量の音を出力している状態である場合に、前記アダプタが前記カメラ本体に取り付けられて、前記カメラ本体と所定の通信を実行した後に、前記音の出力を停止する
ことを特徴とする請求項１乃至３のいずれか１項に記載の撮像装置。
【請求項５】
前記カメラ本体は、前記カメラ本体への前記アダプタの取り付けが検出された場合に、前記出力手段が前記第２の音量で音を出力している状態であるかを判断する判断手段を備え、
前記出力手段が前記第２の音量で音を出力している状態である場合に、前記出力手段は、前記カメラ本体との通信によって前記動作モードがＯＦＦに設定された後に、前記音の出力を停止する
ことを特徴とする請求項４に記載の撮像装置。
【請求項６】
前記アダプタの出荷時には前記動作モードはＯＦＦに設定されており、
前記カメラ本体への前記アダプタの取り付けが最初に検出された場合に、前記動作モードがＯＮに設定される
ことを特徴とする請求項１乃至５のいずれか１項に記載の撮像装置。
【請求項７】
レンズ装置とカメラ本体とを接続するアダプタであって、
前記カメラ本体から前記アダプタを取り外すために用いるボタンが押下された場合に、第１の音量の音を出力し、前記カメラ本体から前記アダプタが取り外された場合に、前記第１の音量よりも大きい第２の音量の音を出力する出力手段を備える
ことを特徴とするアダプタ。
【請求項８】
交換可能なレンズ装置と、カメラ本体と、前記レンズ装置と前記カメラ本体とを接続するアダプタと、音を出力する出力手段とを備える撮像装置の制御方法であって、
所定の動作モードがＯＮである場合に、
前記カメラ本体から前記アダプタを取り外すために用いるボタンが押下されたときは、第１の音量の音を出力する工程と、
前記カメラ本体から前記アダプタが取り外されたときは、前記第１の音量よりも大きい第２の音量の音を出力する工程とを有する
ことを特徴とする制御方法。
【発明の詳細な説明】
【技術分野】
【０００１】
本発明は、撮像装置、アダプタおよび制御方法に関する。
【背景技術】
【０００２】
監視カメラの映像は、監視人が遠方の監視センターで監視していることが一般的である。したがって、監視カメラ本体の周辺は監視人が不在であることから、監視カメラ本体の盗難を防止するための対策を施す必要があった。特許文献１は、監視カメラの盗難を防止するために、監視カメラを収納するカメラハウジング（カメラケース）の扉の開閉を検出した際、監視センターへアラーム情報を発信する監視カメラシステムを開示している。
【先行技術文献】
【特許文献】
【０００３】
【特許文献１】特開２００７−１１６５７２号公報
【発明の概要】
【発明が解決しようとする課題】
【０００４】
しかし、特許文献１が開示する監視カメラシステムでは、停電などによって、ハウジングへの電源が遮断されると、盗難防止機能が停止してしまう。また、監視カメラには、レンズとカメラ本体が一体となったモデルの他に、交換レンズ式の監視カメラが存在する。さらに、交換レンズ式の監視カメラには、高画質な映像を取得するために、一眼レフカメラに使用されている交換レンズが取り付け可能なモデルも存在する。このようなモデルは、監視カメラに装着されている交換レンズを、自身の一眼レフカメラに装着して使用することを目的とした者によって、盗難にあうことも想定される。
【０００５】
また、一眼レフカメラに使用されている交換レンズは、ユーザの目の届く範囲内で使用されることが想定されているため、盗難防止のための機能は備えられていない。したがって、交換レンズ式の監視カメラに対しては、監視カメラ本体のみならず、交換レンズの盗難を防止するための対策も施す必要がある。
【０００６】
本発明は、停電などによってカメラ本体への電源が遮断された場合にも、交換レンズの盗難を防止することを可能にする撮像装置の提供を目的とする。
【課題を解決するための手段】
【０００７】
本発明の一実施形態の撮像装置は、交換可能なレンズ装置と、カメラ本体と、前記レンズ装置と前記カメラ本体とを接続するアダプタと、音を出力する出力手段とを備える撮像装置であって、前記出力手段は、所定の動作モードがＯＮである場合に、前記カメラ本体から前記アダプタを取り外すために用いるボタンが押下されたときは、第１の音量の音を出力し、前記カメラ本体から前記アダプタが取り外されたときは、前記第１の音量よりも大きい第２の音量の音を出力する。
【発明の効果】
【０００８】
本発明の撮像装置によれば、停電などによってカメラ本体への電源が遮断された場合にも、交換レンズの盗難を防止することが可能となる。
【図面の簡単な説明】
【０００９】
【図１】本実施形態の撮像装置の構成を示す図である。
【図２】マウントアダプタが備えるＣＰＵの動作モードの例を説明する図である。
【図３】マウントアダプタが備えるＣＰＵの動作処理を説明する図である。
【図４】カメラ本体が備えるＣＰＵの動作処理を説明する図である。
【発明を実施するための形態】
【００１０】
図１は、本実施形態の撮像装置の構成を示す図である。
図１に示す撮像装置は、交換レンズ１００と、マウントアダプタ２００と、カメラ本体３００とを備える。交換レンズ１００は、交換可能なレンズ装置である。交換レンズ１００は、一眼レフカメラ等でも使用可能であるし、監視カメラ専用にも使用可能である。
【００１１】
交換レンズ１００とマウントアダプタ２００とは、マウント部４００Ａにて装着が可能である。また、マウントアダプタ２００とカメラ本体３００とは、マウント部４００Ｂにて装着が可能である。すなわち、マウントアダプタ２００は、交換レンズ１００とカメラ本体３００とを接続するアダプタとして機能する。
【００１２】
マウント部４００Ａおよびマウント部４００Ｂは、取り外し方法においては、一眼レフカメラ等で使用されているマウントと同様の形態とする。すなわち、取り外しボタンを押して、続いて、所定の方向へ回転を加えることによって、取り外すことが可能となっている。
【００１３】
さらに、本実施形態では、マウント部４００Ａには、取り外しボタン２０４を押下されないようにするための不図示のカバーが、ビス等で固定されている。すなわち、交換レンズ１００とマウントアダプタ２００は、作業者（サービスマンなど）が取り外すことができない、一体となったユニットとして提供される。図１には、交換レンズ１００とマウントアダプタ２００が一体となったユニットを、交換レンズユニット５００として記している。
【００１４】
マウント部４００Ｂは、カバーがなく、一眼レフカメラと同様に、取り外しボタン３０２を押して、続いて、所定の方向へ回転を加えることによって、取り外すことが可能となっている。したがって、作業者（サービスマンなど）が、レンズを交換する際は、マウント部４００Ａからではなく、マウント部４００Ｂから、交換レンズユニット５００を取り外す手順となる。もちろん、作業者（サービスマンなど）だけでなく、盗難を目的とする者も、マウント部４００Ｂから、交換レンズユニット５００を取り外す手順となる。
【００１５】
交換レンズ１００は、ＣＰＵ（Ｃｅｎｔｒａｌ  Ｐｒｏｃｅｓｓｉｎｇ  Ｕｎｉｔ）１０１を備える。ＣＰＵ１０１は、交換レンズ１００全体を制御する。マウントアダプタ２００には、ＣＰＵ２０１と、電池２０２と、ブザー２０３と、取り外しボタン２０４とを備える。電池２０２は、ＣＰＵ２０１に電源を供給する。ブザー２０３は、ＣＰＵ２０１によって駆動されて、音を出力する。すなわち、ＣＰＵ２０１およびブザー２０３は、カメラ本体３００へ供給される電源とは異なる電源で動作し、音を出力する出力手段として機能する。取り外しボタン２０４は、マウントアダプタ２００から交換レンズ１００を取り外すために用いられる。
【００１６】
カメラ本体３００は、ＣＰＵ３０１と、取り外しボタン３０２とを備える。ＣＰＵ３０１は、カメラ本体３００全体を制御する。取り外しボタン３０２は、カメラ本体３００からマウントアダプタ２００を取り外すために用いられる。交換レンズ１００が備えるＣＰＵ１０１と、マウントアダプタ２００が備えるＣＰＵ２０１と、カメラ本体３００が備えるＣＰＵ３０１とは、互いに通信可能である。
【００１７】
また、マウント部４００Ｂには、取り外しボタン３０２が押下されたかを検出するための取り外しボタン押下検出信号の信号線と、カメラ本体３００からマウントアダプタ２００が取り外されたかを検出するためのマウント除去検出信号の信号線が通っている。
【００１８】
図１においては、取り外しボタン３０２が押下された場合は、取り外しボタン押下検出信号が“Ｌ（Ｌｏｗ）”となり、取り外しボタン３０２が押下されていない場合は、取り外しボタン押下検出信号が“Ｈ（Ｈｉｇｈ）”となる。
【００１９】
また、カメラ本体３００からマウントアダプタ２００が取り外された場合は、マウント除去検出信号が“Ｈ”となり、カメラ本体３００からマウントアダプタ２００が取り外されていない（装着されている）場合は、マウント除去検出信号が“Ｌ”となる。
【００２０】
カメラ本体３００が備えるＣＰＵ３０１は、撮像装置が有する所定の動作モード（この例では、盗難防止モード）の有効／無効（ＯＮ／ＯＦＦ）を切り換えられる機能を有している。盗難防止モードのＯＮ／ＯＦＦは、カメラ本体３００に備えられたＣＰＵ３０１、あるいは相当の通信が可能な外部デバイスによって設定可能である。盗難防止モードがＯＮである場合に、取り外しボタン３０２の押下が検出されると、ブザー２０３が低音量の音を出力し、マウントアダプタ２００のカメラ本体３００からの取り外しが検出されると、ブザー２０３が高音量の音を出力する。すなわち、ＣＰＵ２０１は、取り外しボタン３０２の押下の検出結果と、マウントアダプタ２００のカメラ本体３００からの取り外しの検出結果とに応じて、ブザー２０３によって音を出力する。盗難防止モードがＯＦＦである場合は、取り外しボタン３０２が押下されても、マウントアダプタ２００のカメラ本体３００からの取り外しが検出されても、ブザー２０３は音を出力しない。なお、必要に応じて、取り外しボタン３０２が押下された場合の音の出力と、マウントアダプタ２００のカメラ本体３００からの取り外しが検出された場合の音の出力とを別個にＯＮ／ＯＦＦできるようにしてもよい。
【００２１】
マウントアダプタ２００の出荷時は、カメラ本体３００に装着されていない状態であるので、盗難防止モードはＯＦＦに設定されており、ブザー２０３は、音を出力しない。マウントアダプタ２００のカメラ本体３００の取り付けが最初に検出された時に、盗難防止モードがＯＮに設定される。この切り換え動作は、マウントアダプタ２００の取り付けの検出時に、自動で設定されるようにしても良いし、作業者（サービスマンなど）によって、不図示のＵＩ（Ｕｓｅｒ  Ｉｎｔｅｒｆａｃｅ）から手動で設定できるようにしても構わない。このＵＩは、盗難防止モードのＯＮ／ＯＦＦを設定する操作に用いる操作手段として機能する。ＣＰＵ３０１は、ＵＩによる操作に応じて、盗難防止モードのＯＮ／ＯＦＦを設定する。
【００２２】
また、マウントアダプタ２００を含む交換レンズユニット５００が、カメラ本体３００に装着され、盗難防止モードがＯＮに設定された後に、交換レンズユニット５００に交換する場合は、不用意にブザー２０３が鳴らないようにしておくことが望ましい。したがって、この場合は、作業者（サービスマンなど）が、手動で、盗難防止モードをＯＦＦにした後に、交換作業を実行できるようにしておく。
【００２３】
マウントアダプタ２００が備えるＣＰＵ２０１は、取り外しボタン押下検出信号の状態（“Ｈ”または“Ｌ”）と、マウント除去検出信号の状態（“Ｈ”または“Ｌ”）とに応じて、ブザー２０３の動作／停止と、ブザー動作時の音量とを決定する。
【００２４】
図２は、マウントアダプタが備えるＣＰＵの動作モードの例を説明する図である。
取り外しボタン押下検出信号が“Ｈ”かつ、マウント除去検出信号が“Ｌ”である場合は、取り外しボタンが押下されておらず、かつ、マウントアダプタ２００がカメラ本体３００に正常に装着されている状態である。したがって、ＣＰＵ２０１は、ブザー２０３の動作を停止させる。
【００２５】
取り外しボタン押下検出信号が“Ｌ”かつ、マウント除去検出信号が“Ｈ”である場合は、通常操作では発生しない状態である。マウントが除去されたときは、マウントの接点がオープンとなるので、必ず、取り外しボタン押下検出信号＝“Ｈ”となるからである。この場合には、ＣＰＵ２０１は、ブザー２０３の動作を停止させる。
【００２６】
取り外しボタン押下検出信号が“Ｌ”かつ、マウント除去検出信号が“Ｌ”である場合は、マウントアダプタ２００を取り外そうとして取り外しボタン３０２が押下された状態である。この場合には、ＣＰＵ２０１は、ブザー２０３を低音量で動作させる。低音量は、周囲に響き渡る音量ではなく、マウントアダプタ２００を取り外そうとする者が聞こえる程度の音量（第１の音量）が好ましい。なぜなら、マウントアダプタ２００を取り外そうとする者は、盗難を目的とする者である場合もあるが、作業者（サービスマンなど）である場合もあるからである。もちろん、作業者（サービスマンなど）がレンズを交換する場合には、事前に、盗難防止モードをＯＦＦに設定する操作を実施することが望ましい。しかし、操作を忘れたままマウントアダプタ２００を取り外そうとする場合も有り得る。このような場合にも、作業者、あるいは、周囲に不快感を与えることがないような音量設定とすることが望ましい。
【００２７】
取り外しボタン押下検出信号が“Ｈ”かつ、マウント除去検出信号が“Ｈ”である場合は、カメラ本体３００からマウントアダプタ２００が取り外された状態である。この場合には、ＣＰＵ２０１は、ブザー２０３を高音量すなわち第１の音量より大きい第２の音量で動作させる。高音量は、周囲に響き渡る音量であり、付近に存在する者が異常であると感じる音量が好ましい。なぜなら、低音量でブザー２０３を動作させたにもかかわらず、続いてカメラ本体３００からマウントアダプタ２００を含む交換レンズユニット５００を取り外す者は、サービスマンなどの作業者ではなく、盗難を目的とする者である可能性が高いためである。周囲に響き渡るほどの高音量でブザー２０３を動作させることで、盗難を目的とする者に対して、取り外したマウントアダプタ２００を含む交換レンズユニット５００を持ち去ることを躊躇させる効果がある。また、この場合には、ＣＰＵ２０１が、ネットワークを介して、監視センターに警告を発信する機能を付加しても良い。これにより、監視人が迅速に盗難に気付くことができる。
【００２８】
また、ブザー２０３は、マウントアダプタ２００を含む交換レンズユニット５００に備えていることから、交換レンズユニット５００を持ち去ることを躊躇させる効果がある。また、マウントアダプタ２００に備えられたＣＰＵ２０１とブザー２０３は、カメラ本体３００の電源と異なる電源である電池２０２から電力供給されているので、停電など、カメラ本体３００の電源が遮断されている場合にも、盗難防止モードが動作可能である。
【００２９】
図３は、マウントアダプタが備えるＣＰＵの動作処理を説明するフローチャートである。
マウントアダプタ２００の出荷時は、カメラ本体３００に備えられていない状態であるので、盗難防止モードがＯＦＦに設定されている（ステップＳ６００）。続いて、ＣＰＵ２０１が、盗難防止モードがＯＮになったかを判断する（ステップ６０１）。盗難防止モードの切り替えは、マウントアダプタ２００がカメラ本体３００に装着された後、自動で、あるいは、作業者（サービスマンなど）によって実施される。盗難防止モードがＯＮになっていない場合は、処理がステップＳ６０１に戻る。盗難防止モードがＯＮになった場合は、処理がステップＳ６０２に進む。
【００３０】
ステップＳ６０２において、ＣＰＵ２０１が、取り外しボタン押下検出信号の信号レベルの状態（“Ｈ”または“Ｌ”）を検出する第１の検出手段として機能する。また、ステップＳ６０２においては、ＣＰＵ２０１は、さらに、マウント除去検出信号の信号レベルの状態を検出する第２の検出手段として機能する。続いて、ＣＰＵ２０１が、検出された信号レベルの状態に基づいて、例えば図２に示した内容に従って、ブザー２０３の動作を実行する（ステップ６０３）。
【００３１】
次に、ステップＳ６０４において、ＣＰＵ２０１が、ブザーが高音量で動作しているかを判断する。ブザー２０３が停止しているか、または低音量で動作している場合は、処理が、ステップ６０２に戻る。そして、ＣＰＵ２０１が、取り外しボタン押下検出信号と、マウント除去検出信号の、信号レベルの状態をもとにした動作を繰り返す。例えば、取り外しボタン押下検出信号＝“Ｌ”かつマウント除去検出信号＝“Ｌ”である場合、つまりブザー２０３が低音量で動作している場合は、ＣＰＵ２０１は、以下の動作を実行する。すなわち、取り外しボタン押下検出信号が“Ｈ”に変化して、取り外しボタン押下が解除されると、ＣＰＵ２０１は、ブザー２０３を停止させる。
【００３２】
ブザーが高音量で動作している場合は、処理がステップＳ６０５に進む。そして、ＣＰＵ２０１は、カメラ本体３００から盗難防止モードをＯＦＦに設定されるまで状態を保持する（ステップＳ６０５）。ブザー２０３が高音量で動作している場合は、カメラ本体３００からマウントアダプタ２００が取り外された状態であるので、盗難である可能性が高い。この時に処理をステップＳ６０２に戻してしまうと、ブザー２０３を停止するだけの目的で、マウント除去検出信号の電気的接点を“Ｈ”から“Ｌ”へ変更する操作がなされた場合に、ブザー２０３が停止してしまう。したがって、ＣＰＵ２０１は、マウントアダプタ２００がカメラ本体３００に取り付けられて、カメラ本体３００と所定の通信（この例では、盗難防止モードをＯＦＦにする設定に関する通信）を実行した後に、音の出力を停止する。カメラ本体３００から盗難防止モードをＯＦＦに設定されると、ステップＳ６００から再び処理が開始される。
【００３３】
図４は、カメラ本体が備えるＣＰＵの動作処理を説明するフローチャートである。
ＣＰＵ３０１が、マウントアダプタ２００を検出する（ステップＳ７００）。続いて、ＣＰＵ３０１が、マウントアダプタ２００が備えるＣＰＵ２０１へアクセスする（ステップＳ７０１）。
【００３４】
次に、ＣＰＵ３０１が、マウントアダプタ２００が備えるブザー２０３の駆動状況を確認し、ブザー２０３が高音量で動作しているかを判断する（ステップＳ７０２）。ブザー２０３が高音量で動作していない場合は、ＣＰＵ３０１は、マウントアダプタ２００が工場出荷後に初めて装着されたマウントアダプタである、あるいは、元々、意図的に盗難防止モードがＯＦＦに設定されているマウントアダプタであると判断する。そして、ＣＰＵ３０１は、作業者（サービスマンなど）による、不図示のＵＩを用いた操作にしたがって、盗難防止モードＯＮ／ＯＦＦを設定する（ステップＳ７０４）。そして、処理を終了する（ステップＳ７０６）。
【００３５】
ステップＳ７０４において、ＣＰＵ３０１が、ＵＩからの指示を待たず、自動で盗難防止モードをＯＮにして、処理を終了してもよい。ＣＰＵ３０１が、自動で盗難防止モードをＯＮにすることで、作業者が盗難防止モードをＯＮにする作業を忘れたとしても、盗難防止機能を有効に設定することが可能となる。
【００３６】
ブザー２０３が高音量で動作している場合は、ＣＰＵ３０１は、盗難防止モードをＯＮに設定されていたマウントアダプタが、故意に外され、再び装着されたと判断する。したがって、ＣＰＵ３０１は、盗難防止モードをＯＦＦに設定する（ステップ７０３）。これにより、ブザー２０３が停止する。続いて、ＣＰＵ３０１は、再び、盗難防止モードをＯＮに設定する（ステップＳ７０５）。そして、処理を終了する（ステップＳ７０６）。以上、本発明の好ましい実施例について説明したが、本発明はこれらの実施例に限定されず、その要旨の範囲内で種々の変形及び変更が可能である。
【００３７】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３８】
１００  交換レンズ
２００  マウントアダプタ
３００  カメラ本体
【図１】
0006702733.tif 000002
【図２】
0006702733.tif 000003
【図３】
0006702733.tif 000004
【図４】
0006702733.tif 000005